(57)【特許請求の範囲】
【請求項１】
画像データの処理を行う画像処理装置において、
原稿載置台に載置された原稿を読み取るための読取手段と、
入力された画像データを記録媒体上に出力する出力手段と、
データが記録可能な外部記録媒体を着脱可能に接続するために同じ機能を有する複数の接続端子を備えたインターフェイス手段と、
該インターフェイス手段に接続された前記外部記録媒体とデータの転送処理を行うデータ転送処理手段と、
前記インターフェイス手段が備える同じ機能を有する複数の接続端子のうち、いずれの接続端子に前記外部記録媒体が接続されたかを検知する検知手段と、
利用者の操作内容を検出する操作検出手段であって、利用者の入力を受け付けるための操作パネルと、読取原稿または記録媒体の有無を検出する検出センサーの何れかである操作検出手段と、
前記検知手段の検知内容および前記操作検出手段の検出内容と、画像処理装置の動作内容とが関連付けられた管理テーブルを記憶する記憶手段と、
前記検知手段の検知内容と前記操作検出手段の検出内容に基づいて画像処理装置の動作を異ならせるよう制御する制御手段と、を備え、
（Ａ）前記検知手段が、いずれの接続端子に前記外部記録媒体が接続されたかを検知し、前記操作検出手段が、前記読取手段の原稿載置台に原稿が載置されたことを検出すると、
前記制御手段は、前記管理テーブルを参照し、前記検知手段によって検知された検知内容および前記操作検出手段によって検出された検出内容が、前記管理テーブルにおいて特定の動作内容と関連付けられた検知内容および検出内容であれば、当該動作内容に応じて、前記読取手段の原稿載置台に載置された原稿の読み取りを開始させ、前記データ転送処理手段は読み取られた画像データを前記記憶媒体に転送させるように制御し、
（Ｂ）前記検知手段が、いずれの接続端子に前記外部記録媒体が接続されたかを検知し、前記操作検出手段が、トレイ上に記録媒体があることまたはスタートキーが押されることを検出すると、
前記制御手段は、前記管理テーブルを参照し、前記検知手段によって検知された検知内容および前記操作検出手段によって検出された検出内容が、前記管理テーブルにおいて特定の動作内容と関連付けられた検知内容および検出内容であれば、当該動作内容に応じて、出力させる画像データを特定し、前記データ転送処理手段に前記外部記憶媒体に記憶された画像データを転送させ、前記出力手段に前記外部記憶媒体から転送された画像データを出力させるように制御し、
（Ｃ）前記検知手段が、いずれの接続端子に前記外部記録媒体が接続されたかを検知し、前記操作検出手段が、スタートキーが押されたことを検出すると、
前記制御手段は、前記管理テーブルを参照し、前記検知手段によって検知された検知内容および前記操作検出手段によって検出された検出内容が、前記管理テーブルにおいて特定の動作内容と関連付けられた検知内容および検出内容であれば、当該動作内容に応じて、前記データ転送処理手段に前記外部記憶媒体に記憶された設定データを転送させ、その設定データに基づいて画像処理装置を設定するように制御することを特徴とする画像処理装置。
【発明の詳細な説明】
【技術分野】
【０００１】
本発明は、インターフェイスを介して、外部機器を接続可能な画像処理装置に関する。
【背景技術】
【０００２】
近年、複写機、プリンタ装置、デジタル複合機等の画像処理装置の中にはＵＳＢ（
Universal Serial Bus）ポートを備えるものが製品化されており、ＵＳＢメモリ、デジタルスチルカメラ等の外部機器に格納されている画像データを取り込んで画像を出力するシステムが提案されている（例えば、特許文献１参照）。また、複写機、デジタル複合機等で原稿の画像を読み取ることにより取得した画像データをＵＳＢメモリ等の外部機器へ出力することも可能にしている。
【０００３】
また、複写機が印刷実行中に、次に行うコピー条件を複写機のオペレータコンソールを用いて事前にプログラミングするプログラミング装置が提案されている（例えば、特許文献２参照）。
【０００４】
【特許文献１】特開２００４−１０９７６５号公報
【特許文献２】特開平２−１１６８６１号公報
【発明の開示】
【発明が解決しようとする課題】
【０００５】
しかしながら、画像処理装置のＵＳＢポートに接続されたＵＳＢ機器に記憶された画像データを印刷するときや、画像処理装置で読み取られた画像データをＵＳＢ機器に記憶させる場合には、利用者が操作パネルを操作しＵＳＢ機器に記憶された印刷ファイルの呼び出しや、読み取られた画像データをＵＳＢ機器に記憶させる指示が必要であり、操作に慣れていない利用者に混乱を与えてしまう問題が生じていた。また、画像処理装置の操作内容を把握している利用者であっても、画像データ毎に同じ操作を繰り返し行う必要があるため操作パネルの入力が煩わしいという問題を備えていた。
【０００６】
本発明は斯かる事情に鑑みなされたもので、利用者の操作を簡素化させユーザーインターフェイスを向上させる画像処理装置を提供することを目的とする。
【課題を解決するための手段】
【０００７】
本発明は、画像データの処理を行う画像処理装置において、
原稿載置台に載置された原稿を読み取るための読取手段と、
入力された画像データを記録媒体上に出力する出力手段と、
データが記録可能な外部記録媒体を着脱可能に接続するために同じ機能を有する複数の接続端子を備えたインターフェイス手段と、
該インターフェイス手段に接続された前記外部記録媒体とデータの転送処理を行うデータ転送処理手段と、
前記インターフェイス手段が備える同じ機能を有する複数の接続端子のうち、いずれの接続端子に前記外部記録媒体が接続されたかを検知する検知手段と、
利用者の操作内容を検出する操作検出手段であって、利用者の入力を受け付けるための操作パネルと、読取原稿または記録媒体の有無を検出する検出センサーの何れかである操作検出手段と、
前記検知手段の検知内容および前記操作検出手段の検出内容と、画像処理装置の動作内容とが関連付けられた管理テーブルを記憶する記憶手段と、
前記検知手段の検知内容と前記操作検出手段の検出内容に基づいて画像処理装置の動作を異ならせるよう制御する制御手段と、を備え、
（Ａ）前記検知手段が、いずれの接続端子に前記外部記録媒体が接続されたかを検知し、前記操作検出手段が、前記読取手段の原稿載置台に原稿が載置されたことを検出すると、
前記制御手段は、前記管理テーブルを参照し、前記検知手段によって検知された検知内容および前記操作検出手段によって検出された検出内容が、前記管理テーブルにおいて特定の動作内容と関連付けられた検知内容および検出内容であれば、当該動作内容に応じて、前記読取手段の原稿載置台に載置された原稿の読み取りを開始させ、前記データ転送処理手段は読み取られた画像データを前記記憶媒体に転送させるように制御し、
（Ｂ）前記検知手段が、いずれの接続端子に前記外部記録媒体が接続されたかを検知し、前記操作検出手段が、トレイ上に記録媒体があることまたはスタートキーが押されることを検出すると、
前記制御手段は、前記管理テーブルを参照し、前記検知手段によって検知された検知内容および前記操作検出手段によって検出された検出内容が、前記管理テーブルにおいて特定の動作内容と関連付けられた検知内容および検出内容であれば、当該動作内容に応じて
、出力させる画像データを特定し、前記データ転送処理手段に前記外部記憶媒体に記憶された画像データを転送させ、前記出力手段に前記外部記憶媒体から転送された画像データを出力させるように制御し、
（Ｃ）前記検知手段が、いずれの接続端子に前記外部記録媒体が接続されたかを検知し、前記操作検出手段が、スタートキーが押されたことを検出すると、
前記制御手段は、前記管理テーブルを参照し、前記検知手段によって検知された検知内容および前記操作検出手段によって検出された検出内容が、前記管理テーブルにおいて特定の動作内容と関連付けられた検知内容および検出内容であれば、当該動作内容に応じて、前記データ転送処理手段に前記外部記憶媒体に記憶された設定データを転送させ、その設定データに基づいて画像処理装置を設定するように制御することを特徴とする画像処理装置である。
【発明の効果】
【００１２】
本発明による場合は、画像処理装置に備えられた同じ機能を有する複数の接続端子のうち外部記憶媒体が接続された接続端子と、利用者によって操作された操作内容とに基づいて画像処理装置の動作を異ならせ画像処理装置の動作を自動化させることによって、利用者は最低限の入力を行うだけでよく、利用者の操作を簡素化させユーザーインターフェイスを向上させることができる。
【００１３】
また、利用者の入力を受け付ける操作パネルと、読取原稿や記録媒体を載置する操作に基づいて、画像処理装置の動作を異ならせることによって、利用者は無駄な操作をすることなく画像処理装置の動作内容を決定することができる。
【００１４】
また、画像処理装置に備えられた複数の接続端子のうち外部記憶媒体が接続された接続端子と、原稿読取装置に備えられた原稿載置台に原稿が載置された操作を検出すると、原稿載置台に記憶された原稿を読み取り外部記憶媒体に読み取られた画像データを記憶する。したがって、利用者は無駄な操作をすることなく原稿の読み取りと読み取られた画像データの記憶を行うことができる。
【００１５】
また、出力させる画像データを特定する操作が検出されると、外部記憶媒体の画像データを読み出し出力する。したがって、利用者は出力を望む画像データを特定するだけで出力が実行されるので、利用者は無駄な操作をすることなく記憶された画像データの印刷を行うことができる。
【００１６】
また、画像処理装置に備えられた所定の接続端子のうち外部記憶媒体が接続されると、外部記憶媒体に記憶された設定データが設定される。したがって、利用者は所望する設定データを特定するだけで画像処理装置の設定を行うことができるので、利用者は容易に装置の設定を行うことができる。
【発明を実施するための最良の形態】
【００１７】
以下、本発明の実施形態を添付図面を参照しつつ詳細に説明する。
（装置全体の説明）
図１及び図２は、本発明のデジタル複合機の一実施形態を示す斜視図及び断面図である。このデジタル複合機1では、原稿の画像を読取って記録用紙に印刷する複写モード、原稿の画像を読取って送信したり、原稿の画像を受信して記録用紙に印刷したりするファクシミリモード、及び情報端末装置からネットワークを通じて受信した画像を記録用紙に印刷するプリンタモード等を選択的に行うことができる。このデジタル複合機１は、その構成を大別すると、原稿搬送読取部２、画像形成部３、給紙部４、排紙処理装置５、及びＵＳＢインターフェイス７を備えている。
【００１８】
次に、複写モードを例に挙げて、デジタル複合機１の動作を説明する。
まず、原稿を原稿搬送読取り部２の原稿セットトレイ１１にセットすると原稿検知センサ１２が原稿をセットされたことを検出する。そして、原稿搬送読取り部２の操作パネル１３を操作することにより印刷用紙のサイズ及び変倍率等を入力設定する。その後、操作パネル１３の操作により複写の開始を指示する。
【００１９】
これらの操作に応答して原稿搬送読取り部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００２０】
このとき、第１読取り部２１によって原稿の表面（下側面）を読取る。第１読取り部２１の第１走査ユニット２３をポジションに移動して位置決めし、第２走査ユニット２４を所定位置に位置決めしておき、第１走査ユニット２３の露光ランプにより原稿の表面をプラテンガラス１６を介して照射し、原稿の反射光を第１及び第２走行ユニット２３、２４の各反射ミラーにより結像レンズ２６へと導き、原稿の反射光を結像レンズ２６によりＣＣＤ（Charge Coupled Device）２７に集光させ、原稿の表面の画像をＣＣＤ２７上に結像させ、これにより原稿の表面の画像を読取る。
【００２１】
また、第２読取り部２２によって原稿の裏面（上側面）を読取る。第２読取り部２２は、プラテンガラス１６の上方に配置されており、原稿の裏面を照射する露光ランプ（ＬＥＤ（Light Emitting Diode）アレイ、蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact 
Image Sensor）等を備えている。
【００２２】
更に、原稿搬送読取り部２の上部筐体を開いて、プラテンガラス１６上に原稿を載置し、この状態で第１読取り部２１により原稿の表面を読取ることが可能である。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって原稿からの反射光を結像レンズ２６へと導き、結像レンズ２６によって原稿の画像をＣＣＤ２７上に結像する。
【００２３】
こうして原稿の片面もしくは両面が読取られると、原稿の片面もしくは両面の画像を示す画像データがマイクロコンピュータ等の制御部５１（図３に示す）に入力され、ここで画像データに各種の画像処理が施され、この画像データが画像形成部３へと出力される。
【００２４】
画像形成部３は、画像データによって示される原稿の画像を記録用紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）、及び定着装置３７等を備えている。
【００２５】
また、画像形成部３には、主搬送路３８及び反転搬送路３９が設けられており、給紙部４から給紙されて来た記録用紙が主搬送路３８に沿って搬送される。給紙部４は、用紙カセット４１に収納された記録用紙、または手差トレイ４２に載置された記録用紙を１枚ずつ引き出して、記録用紙を画像形成部３の主搬送路３８へと送り出す。
【００２６】
画像形成部３の主搬送路３８に沿って記録用紙が搬送されている途中で、記録用紙が感光体ドラム３１と転写装置３５との間を通過し、更に定着装置３７を通過して、記録用紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取り部２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録用紙に感光体ドラム３１表面のトナー像を転写する。定着装置３７は、記録用紙を加熱及び加圧して、記録用紙上のトナー像を定着させる。
【００２７】
主搬送路３８と反転搬送路３９の接続位置には、分岐爪４３が配設されている。記録用紙の片面だけに印刷が行われる場合は、分岐爪４３が位置決めされ、この分岐爪４３により定着装置３７からの記録用紙が排紙トレイ４４又は排紙処理装置５の方へと導かれる。
【００２８】
また、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００２９】
こうして印刷された記録用紙は、排紙トレイ４４又は排紙処理装置５の方へと導かれて、排紙トレイ４４に排出されたり、排紙処理装置５の各排紙トレイ５ａのいずれかに排出される。
【００３０】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に各記録用紙を各排紙トレイ５ａに仕分けして排出し、排紙トレイ５ａ毎に、排紙トレイ５ａ上の各記録用紙にパンチング処理やステープル処理を施して、印刷物を作成する。
【００３１】
以下、本発明をその実施の形態を示す図面に基づいて具体的に説明する。
実施の形態１．
図３は本発明に係るデジタル複合機１の電気的構成を説明するブロック図である。デジタル複合機１は、外部機器としてのＵＳＢ機器を接続するために４つのＵＳＢポートＰ１〜Ｐ４（以下、単にポートＰ１〜Ｐ４という）を備えている。接続端子であるＵＳＢポートＰ１〜Ｐ４に接続される外部記憶媒体であるＵＳＢ機器としては、ＵＳＢメモリ、ＨＤＤ（Hard Disc Derive）装置、ＭＯ（Magneto Optical）ドライブ等のストレージデバイス、デジタルスチルカメラ、携帯型音楽プレーヤ等の電子機器等が挙げられる。これらのデバイスは、一般的にデータを格納するための記録媒体が搭載されているため、任意のデバイスに対して接続許可を与えた場合、デジタル複合機１で読み取られたデータや、ストレージデバイスに蓄積されている各種データの相互活用が可能となる。
【００３２】
ＵＳＢ機器の代表例として、ＵＳＢメモリ１００について以下に説明を行う。
以下、デジタル複合機１の電気的構成について説明する。デジタル複合機１は、デジタル複合機１全体の制御を行う制御部５１、各種の入力指示を行うために操作される操作パネル１３、操作パネル１３に設けられた操作部１３ａと表示部１３ｂ、画像読取部２、画像形成部３、通信部６、記憶部５５、ＵＳＢインターフェイス７等のハードウェアがバスを介して接続されている。制御部５１は、ＣＰＵ（Control Program Unit）、ＲＯＭ（
Read Only Memory）、及びＲＡＭ（Random Access Memory）を内蔵している。制御部５１に内蔵されたＣＰＵがＲＯＭに予め格納された制御プログラムをＲＡＭ上にロードして実行し、前述したハードウェア各部を制御することにより本デジタル複合機１を画像形成装置又は画像読取装置として動作させる。
【００３３】
通信部６は、パーソナルコンピュータのような外部機器と通信を行うためのネットワークインターフェイスを備えている。外部機器とネットワークインターフェイスとの間にて通信接続が確立した後、通信部６では外部機器から送信されるプリントジョブを受信すると共に、その外部機器へ通知すべき情報を送信する。なお、通信部６において受信したプリントジョブは、そのプリントジョブを記述するＰＤＬ（Page Description Language）
に従ってビットマップ形式の画像データに展開される。
【００３４】
記憶部５５は、不揮発性の半導体メモリ、ＨＤＤ装置等により構成されており、その記憶領域の一部は、ＵＳＢポートＰ１〜Ｐ４に接続されるＵＳＢメモリ１００の接続情報と操作パネル１３などからの入力情報に基づいて装置の動作を管理する管理テーブル５５ａとして利用されている。また、記憶部５５には、ＵＳＢメモリ１００が接続された場合にそのＵＳＢメモリ１００を動作させるためのデバイスドライバ（不図示）が記憶されている。管理テーブル５５ａに登録されている情報は、ＵＳＢポートＰ１〜Ｐ４にＵＳＢメモリ１００が接続された接続情報と操作パネル１３などの他の入力情報に基づいてデジタル複合機１の動作内容を決定するテーブルであり制御部１によって読み出される。管理テーブル５５ａから読み出された情報は、所定の動作を実行するか否かを判断するための判断材料として利用される。なお、管理テーブル５５ａの詳細については後に詳述する。
【００３５】
ＵＳＢインターフェイス７は、ＵＳＢメモリ１００を接続するための４つのＵＳＢポートＰ１〜Ｐ４、及びＵＳＢポートＰ１〜Ｐ４に接続されたＵＳＢメモリ１００との通信を制御するホストコントローラ７ａを備えている。ホストコントローラ７ａは、例えば、接続されたＵＳＢメモリ１００との通信を制御するための各種コマンドが格納されたメモリと、このメモリから必要なコマンドを読み出して適宜のタイミングでＵＳＢメモリ１００へ出力することにより通信制御を行うＣＰＵとを備えている。また、ホストコントローラ７ａは制御部５１や記憶部５５とバスを介して接続されており、ＵＳＢメモリ１００へのデータの書き込みやデバイスからのデータの読み込み制御も行っている。
【００３６】
図４は、操作パネル１３を示す平面図である。この操作パネル１３には、表示部１３ｂ、ファイルモード、ファクシミリモード、コピーモード等を設定するためのキー５７ａ、５７ｂ、５７ｃ、テンキー５８、クリアキー５９、スタートキー６０等備えた操作部１３ａを設けている。また、表示部１３ｂに透明なタッチパネル（図示せず）を重ねて設けているので、このタッチパネルを操作して、表示部１３ｂに表示されているキーを選択的に操作することも可能である。これらのキーの操作による入力指示は、制御部５１に通知される。
【００３７】
次に、記憶部５５に記憶されている管理テーブル５５ａの詳細について説明する。図５は管理テーブル５５ａを概念的に説明する説明図である。管理テーブル５５ａは、インターフェイス７の各ＵＳＢポートＰ１〜Ｐ４にＵＳＢメモリ１００が接続されていることを検出する接続状態と、操作パネル１３や原稿検知センサー１２などの利用者の操作によって発生する他の入力信号とを互いに関連付けて記憶することで、デジタル複合機１の動作内容を決定するデータが記憶されている。具体的には、ＵＳＢメモリ１００がＵＳＢポートＰ１〜Ｐ４の何れかに物理的に接続された後に、操作パネル１３の操作部１３ａが操作された場合や、利用者が原稿セットトレイ１１に原稿をセットすることで原稿検知センサー１２から信号が入力されると、その組み合わせに応じて所定の動作を実行するか否かの判断基準として用いられる。
【００３８】
例えば、ホストコントローラ７ａがＵＳＢポート１にＵＳＢメモリ１００が接続されたことを検出すると、その検出されたＵＳＢポートの情報を制御部５１に報知する。制御部５１はＵＳＢポート１に接続された情報と、原稿台（ＯＣガラス）の原稿検知センサー（
不図示）からの信号によって原稿がセットされたことを検出すると、これら２つの情報に基づいて図５で示す管理テーブル５５ａを参照する。
【００３９】
管理テーブル５５ａには上記２つの情報から原稿の読取を実行するように定められているので、制御部５１は原稿の読み取りを開始させ読み取られた画像データをホストコントローラ７ａを介してＵＳＢポート１に接続されたＵＳＢメモリ１００に記憶させる。
【００４０】
また、ＵＳＢポート１にＵＳＢメモリ１００が接続されたことを検出し、原稿自動搬送装置の原稿検知センサー１２からの信号によって原稿がセットされたことを検出すると、これら２つの情報に基づいて、制御部５１は原稿の読み取りを開始させ読み取られた画像データをホストコントローラ７ａを介してＵＳＢポート１に接続されたＵＳＢメモリ１００に記憶させる。
【００４１】
また、ＵＳＢポート２にＵＳＢメモリ１００が接続されたことを検出し、手差しトレイ４２に備えられた記録紙検知センサー（不図示）からの信号によって記録紙がセットされたことを検出すると、これら２つの情報に基づいて、制御部５１はホストコントローラ７ａを介してＵＳＢポート１に接続されたＵＳＢメモリ１００から画像データを読み出し画像形成部３で印刷を行う。
【００４２】
また、ＵＳＢポート３にＵＳＢメモリ１００が接続されたことを検出し、操作部１３ａに備えられたスタートスイッチ６０からの信号を検出すると、これら２つの情報に基づいて、制御部５１はホストコントローラ７ａを介してＵＳＢポート４に接続されたＵＳＢメモリ１００から設定データを読み出し実行する。
【００４３】
また、ＵＳＢポート４にＵＳＢメモリ１００が接続されたことを検出し、操作部１３ａに備えられたスタートスイッチ６０からの信号を検出すると、これら２つの情報に基づいて、制御部５１はホストコントローラ７ａを介してＵＳＢポート４に接続されたＵＳＢメモリ１００がら画像データを読み出し画像形成部３で印刷を行う。
【００４４】
なお、この管理ＵＳＢテーブル５５ａはデジタル複合機１の管理者権限を持つ操作者であれば、ＵＳＢのポート番号と他の入力信号との組み合わせや、動作内容を任意に設定できる。
【００４５】
次に、図９は外部機器としてＵＳＢポートＰ１〜Ｐ４に接続されるＵＳＢメモリ１００の構成を示す一例である。例えば、ＵＳＢメモリ１００の内部は、予め作成された画像データを記憶するＯｕｔ＿ｊｏｂ領域、デジタル複合機１の画像読取部２で読み取られた原稿の画像データを記憶するＩｎ＿ｊｏｂ領域、デジタル複合機１の動作を設定するための設定データを記憶するためのＪｏｂ＿ｐｒｏｇ領域に分離され、処理の異なるデータの管理を容易にしている。また、各領域にはデータを識別するためのファイル名と、その登録日時とを関連付けたリストデータも記憶されている。
【００４６】
このように、本実施の形態に係るデジタル複合機１は、各ＵＳＢポートＰ１〜Ｐ４へＵＳＢメモリ１００が接続状態や、操作パネル１３や各センサーの入力信号を常に監視するように構成されている。したがって、デジタル複合機１の制御部５１は、ＵＳＢメモリ１００の接続状況と入力信号に基づいて管理テーブル５５ａを参照することで、デジタル複合機１の動作内容を特定することができ操作入力の簡素化が可能となり、操作者が入力する煩わしさを防止することができ、利用者の操作性を向上させることができる。
【００４７】
フローチャート１
図６はＵＳＢメモリ１００の接続時にデジタル複合機１にて実行される処理の手順を説明するフローチャートである。ＵＳＢインターフェイス７内のホストコントローラ７ａは、まず、４つのＵＳＢポートＰ１〜Ｐ４の何れかにＵＳＢメモリ１００が接続されたか否かを判断する（ステップＳ１）。ＵＳＢメモリ１００の接続は、接続されるＵＳＢメモリ１００のＤ＋端子（又はＤ−端子）が所定の電位となったこと検出することで判断することができる。ＵＳＢメモリ１００が接続されていないと判断した場合（Ｓ１：ＮＯ）、ＵＳＢメモリ１００が接続されるまで待機する。
【００４８】
ＵＳＢメモリ１００の接続を検出した場合（Ｓ１：ＹＥＳ）、ホストコントローラ７ａは、ＵＳＢメモリ１００が接続されたＵＳＢポート番号（この場合は、ＵＳＢポート１）を認識し、ＵＳＢメモリ１００が接続されたＵＳＢポート番号を制御部５１に通知する（
ステップＳ２）。
【００４９】
制御部５１はホストコントローラ７ａからの通知によりＵＳＢメモリ１００の接続を認識すると、制御部５１内部のタイマーをリセット（ステップＳ３）し、内部タイマーを起動する（ステップＳ４）。制御部５１は操作パネル１３の操作部１３ａ、表示部１３ｂに備えられたタッチパネルの操作や、原稿セットトレイ１１の原稿検知センサー１２、記録紙の載置センサーなどのデジタル複合機１の各センサーからの入力を監視する（ステップＳ５）。
【００５０】
操作パネル１３や、各センサーからの入力が検出できない場合（Ｓ５：ＮＯ）、内部タイマーを確認しタイマーが所定の時間に達していない（Ｓ６：ＮＯ）場合にはステップＳ５に戻り、操作パネル１３や、各センサーからの入力の監視（ステップＳ５）を継続する。
一方、内部タイマーが所定の時間に達していると、制御部５１は図５の管理テーブルで定義された特定動作の指示はないものと判断（Ｓ６：ＹＥＳ）し、デジタル複合機１の通常の動作を行うために利用者の操作指示を待つ（ステップ：Ｓ７）。
【００５１】
ステップＳ５において、操作パネルや、各センサーから何れかの信号を検出した（Ｓ５：ＹＥＳ）場合は（この場合は、原稿検知センサー１２）、入力されたセンサーを認識（ステップＳ８）し、図５で示す管理テーブル５５ａを参照（ステップＳ９）し、ＵＳＢメモリ１００が接続されたＵＳＢポートと入力された信号に基づいて、デジタル複合機１の動作内容を特定する。そして、図５で示す管理テーブル５５で特定された動作の実行を行うものでなければステップＳ７に移行し、デジタル複合機１の通常の動作を行うために利用者の操作指示を待つ。
【００５２】
一方、管理テーブル５５ａで特定動作を行うもの（Ｓ１０：ＹＥＳ）であれば管理テーブル５５の動作内容に基づいて装置の動作を開始する。本実施形態の動作内容は原稿セットトレイ１１にセットされた原稿を読み取り、読み取られた画像データをＵＳＢポート１に接続されたＵＳＢメモリ１００に記憶させるものであるので、画像読取部２は順次、原稿を読み取り（ステップ：Ｓ１１）画像データを記憶部５５に記憶する。記憶部５５に記憶された画像データはＵＳＢポート１に接続されたＵＳＢメモリ１００のＩｎ＿ｊｏｂ領域に書き込まれる（ステップ：Ｓ１２）ことで他のデータと分離することができる。
【００５３】
そして、処理が終了したデジタル複合機１は、印刷やコピーなどの通常の動作を行うために利用者の操作指示を待つ（ステップ：Ｓ７）。
【００５４】
なお、上記の実施形態ではＵＳＢメモリ１００が装着された後に原稿読取部２の原稿載置センサー１１を検出し、管理テーブル５５の参照を行い動作内容の特定を行ったが、原稿載置センサー１１の検出を行った後にＵＳＢメモリ１００の接続確認を行い動作内容の特定を行うことも可能である。
【００５５】
フローチャート２
図７は第２の実施形態を説明するフローチャートである。
【００５６】
ＵＳＢインターフェイス７内のホストコントローラ７ａは、まず、４つのＵＳＢポートＰ１〜Ｐ４の何れかにＵＳＢメモリ１００が接続されたか否かを判断する（ステップＳ２１）。ＵＳＢメモリ１００の接続は、接続されるＵＳＢメモリ１００のＤ＋端子（又はＤ−端子）が所定の電位となったこと検出することで判断することができる。ＵＳＢメモリ１００が接続されていないと判断した場合（Ｓ２１：ＮＯ）、ＵＳＢメモリ１００が接続されるまで待機する。
【００５７】
ＵＳＢメモリ１００の接続を検出した場合（Ｓ２１：ＹＥＳ）、ホストコントローラ７ａは、ＵＳＢメモリ１００が接続されたＵＳＢポート番号（この場合は、ＵＳＢポート２）を認識し、ＵＳＢメモリ１００が接続されたＵＳＢポート番号を制御部５１に通知する（ステップＳ２２）。
【００５８】
制御部５１はホストコントローラ７ａからの通知によりＵＳＢメモリ１００の接続を認識すると、制御部５１内部のタイマーをリセット（ステップＳ２３）し、内部タイマーを起動する（ステップＳ２４）。制御部５１は操作パネル１３の操作部１３ａ、表示部１３ｂに備えられたタッチパネルの操作や、手差しトレイ４２に設けられた記録紙を検出する記録紙検知センサー（不図示）などに備えられたデジタル複合機１の各センサーからの入力を監視する（ステップＳ２５）。
【００５９】
操作パネル１３や、各センサーからの入力が検出できない場合（Ｓ２５：ＮＯ）、内部タイマーを確認しタイマーが所定の時間に達していない（Ｓ２６：ＮＯ）場合にはステップＳ２５に戻り、操作パネルや、各センサーからの入力の監視（ステップＳ２５）を継続する。一方、内部タイマーが所定の時間に達していると、制御部５１は図５の管理テーブルで定義された特定動作の指示はないものと判断（Ｓ２６：ＹＥＳ）し、デジタル複合機１の通常の動作を行うために利用者の操作指示を待つ（ステップＳ２８）。
【００６０】
ステップＳ２５において、操作パネルや、各センサーから何れかの信号を検出した（Ｓ２５：ＹＥＳ）場合は、制御部５１は入力されたセンサーを識別（ステップＳ２９）し、図５で示す管理テーブルを参照（ステップＳ３０）し、ＵＳＢメモリ１００が接続されたＵＳＢポートと入力された信号に基づいて、デジタル複合機１の動作内容を特定する。そして、図５で示す管理テーブル５５ａで特定された動作の実行を行うものでなければステップＳ２８に移行し、デジタル複合機１の通常の動作を行うために利用者の操作指示を待つ。
【００６１】
一方、管理テーブル５５ａで特定動作を行うもの（Ｓ３１：ＹＥＳ）であれば管理テーブル５５の動作内容に基づいて装置の動作を開始する。本実施形態の動作内容はＵＳＢメモリ１００に記憶された画像データを読み出し記録紙に印刷するものであるので、ＵＳＢポート２に接続されたＵＳＢメモリ１００から画像データを読み出し画像形成部３で読み出した画像データを記録紙に印刷が行われる。
【００６２】
ステップＳ３１の管理テーブル５５で特定された動作の実行を行うものであれば、図９で示すようにＵＳＢメモリ１００からＯｕｔ＿ｊｏｂ領域に記憶された印刷用のジョブリストを読み出し、その内容を表示部１３ｂに表示（ステップ：Ｓ３２）させる。図１０で示される表示部１３ｂには、画像データのファイル名、登録時刻、ページ数、用紙サイズなどが含まれる。利用は表示部１３ｂの表示に基づいて、印刷を行おうとする画像データを選択（ステップ：Ｓ３３）すると制御部５１はインターフェイス７を介してＵＳＢメモリ１００から選択された画像データを読み出し（ステップ：Ｓ３４）記憶部５５に記憶する。記憶部５５に記憶された画像データは画像形成部３で印刷が実行（ステップ：Ｓ３５）される。
【００６３】
そして、処理が終了したデジタル複合機１は、印刷やコピーなどの通常の動作を行うために利用者の操作指示を待つ（ステップ：Ｓ２８）。
【００６４】
フローチャート３
図８は第３の変形例を説明するフローチャートである。
【００６５】
ＵＳＢインターフェイス７内のホストコントローラ７ａは、まず、４つのＵＳＢポートＰ１〜Ｐ４の何れかにＵＳＢメモリ１００が接続されたか否かを判断する（ステップＳ４１）。ＵＳＢメモリ１００の接続は、接続されるＵＳＢメモリ１００のＤ＋端子（又はＤ−端子）が所定の電位となったこと検出することで判断することができる。ＵＳＢメモリ１００が接続されていないと判断した場合（Ｓ４１：ＮＯ）、ＵＳＢメモリ１００が接続されるまで待機する。
【００６６】
ＵＳＢメモリ１００の接続を検出した場合（Ｓ４１：ＹＥＳ）、ホストコントローラ７ａは、ＵＳＢメモリ１００が接続されたＵＳＢポート番号（この場合は、ＵＳＢポート３）を認識し、ＵＳＢメモリ１００が接続されたＵＳＢポート番号を制御部５１に通知する（ステップＳ４２）。
【００６７】
制御部５１はホストコントローラ７ａからの通知によりＵＳＢメモリ１００の接続を認識すると、制御部５１内部のタイマーをリセット（ステップＳ４３）し、内部タイマーを起動する（ステップＳ４４）。制御部５１は操作パネル１３の操作部１３ａ、表示部１３ｂに備えられたタッチパネルの入力を監視する（ステップＳ４５）。
【００６８】
操作パネルや各センサーからの入力が検出できない場合（Ｓ４５：ＮＯ）、内部タイマーを確認しタイマーが所定の時間に達していない（Ｓ４６：ＮＯ）場合にはステップＳ４５に戻り、操作パネルや、各センサーからの入力の監視（ステップＳ４５）を継続する。一方、内部タイマーが所定の時間に達していると、制御部５１は図５の管理テーブルで定義された特定動作の指示はないものと判断（Ｓ４６：ＹＥＳ）し、デジタル複合機１の通常の動作を行うために利用者の操作指示を待つ（ステップＳ４７）。
【００６９】
ステップＳ４５において、操作パネルや、各センサーから何れかの信号を検出した（Ｓ４５：ＹＥＳ）場合は、制御部５１は入力された信号を識別し（ステップＳ４８）、図５で示す管理テーブル５５ａを参照（ステップＳ４９）し、ＵＳＢメモリ１００が接続されたＵＳＢポートと入力された操作パネルからの入力信号に基づいて、デジタル複合機１の動作内容を特定する。そして、特定された動作内容が管理テーブル５５ａで特定された動作の実行を行うものでなければステップＳ４７に移行し、デジタル複合機１の通常の動作を行うために利用者の操作指示を待つ。
【００７０】
一方、管理テーブル５５ａで特定動作を行うもの（Ｓ５０：ＹＥＳ）であれば管理テーブル５５の動作内容に基づいて装置の動作を開始する。本実施形態の動作内容はＵＳＢメモリ１００に記憶された設定データの読み出しを行い、設定データの実行を行うものであるので、ＵＳＢポート３に接続されたＵＳＢメモリ１００から設定データの読み出しを行い、その設定データを実行することで、設定データに定義された印刷条件がデジタル複合機１の印刷条件として設定される。
【００７１】
ステップＳ５０の管理テーブル５５ａで特定された動作の実行を行うものであれば、図９で示すようにＵＳＢメモリ１００からＪｏｂ＿ｐｒｏｇ領域に記憶された設定データのリストを読み出し、その内容を表示部１３ｂに表示（ステップ：Ｓ５１）させる。設定データは、白黒／カラー印刷などの色設定や、印刷時に設定される余白設定、綴じ代設定、印刷枚数、変倍設定や、パンチ、ステープル、製本設定などの後処理装置の設定の動作を管理するための情報が含まれ、図１１で示される表示部１３ｂには、設定データのファイル名、登録時刻、設定データの概要が把握できるようなコメントなどが含まれる。
【００７２】
利用者は表示部１３ｂの表示に基づいて、デジタル複合機１に設定しようとする設定データを選択（ステップ：Ｓ５２）すると制御部５１はインターフェイス７を介してＵＳＢメモリ１００から選択された画像データを読み出し（ステップ：Ｓ５３）記憶部５５ａに記憶する。記憶部５５ａに記憶された設定データに基づいて、制御部５１がデジタル複合機１の動作を管理するレジスタの値を書き換えすることで、デジタル複合機１の動作設定の変更が行われる（ステップ：Ｓ５４）。
【００７３】
そして、処理が終了したデジタル複合機１は、印刷やコピーなどの通常の動作を行うために利用者の操作指示を待つ（ステップ：Ｓ４７）。
【図面の簡単な説明】
【００７４】
【図１】本発明に係るデジタル複合機の構成を説明する斜視図である。
【図２】本発明に係るデジタル複合機の構成を説明する断面図である。
【図３】本発明に係るデジタル複合機を説明するブロック図である。
【図４】本発明に係るデジタル複合機の操作部を説明する説明図である。
【図５】管理テーブルを概念的に説明する説明図である。
【図６】本発明のデジタル複合機にて実行される処理の手順を説明するフローチャートである。
【図７】処理の手順を説明する第２の変形例を説明するフローチャートである。
【図８】処理の手順を説明する第３の変形例を説明するフローチャートである。
【図９】ＵＳＢメモリの内部構成を概念的に説明する説明図である。
【図１０】表示部の表示内容を説明する説明図である。
【図１１】表示部の表示内容を説明する説明図である。
【符号の説明】
【００７５】
１  デジタル複合機
２  画像読取部
３  画像形成部
６  通信部
７  ＵＳＢインターフェイス
７ａ  ホストコントローラ
５１  制御部
５５  記憶部
５５ａ  管理テーブル
１００  ＵＳＢメモリ
Ｐ１〜Ｐ４  ＵＳＢポート
【図１】
0004699276.tif 000002
【図２】
0004699276.tif 000003
【図３】
0004699276.tif 000004
【図４】
0004699276.tif 000005
【図５】
0004699276.tif 000006
【図６】
0004699276.tif 000007
【図７】
0004699276.tif 000008
【図８】
0004699276.tif 000009
【図９】
0004699276.tif 000010
【図１０】
0004699276.tif 000011
【図１１】
0004699276.tif 000012